(57)【要約】【課題】警報音の音質劣化を招くことなく、警報音による警報性を高める計器用警報装置を提供すること。【解決手段】表示ユニット３により車両状態値を表示する車載計器２に設けられ、警報ユニット１から発せられる警報音により車両状況を警告する計器用警報装置において、計器制御ユニット４は、警告する車両状況に応じて設定した警報音の音圧増幅率を、温度センサ３２により検出されて取得した環境温度に応じて補正する。これにより、警報ユニット１の音響器１２は、計器制御ユニット４により補正された音圧増幅率にて警報音を出力する。【選択図】図１
2010083245.tif 000002
【特許請求の範囲】
【請求項１】
車両状態値を表示する計器に設けられ、警報音により車両状況を警告する計器用警報装置であって、
環境温度を検出する温度検出手段と、
前記警報音の音圧増幅率を設定する増幅率設定手段と、
前記温度検出手段により検出された前記環境温度に応じて、前記増幅率設定手段により設定された前記音圧増幅率を補正する増幅率補正手段と、
前記増幅率補正手段により補正された前記音圧増幅率にて前記警報音を出力する音響器と、
を備えることを特徴とする計器用警報装置。
【請求項２】
前記増幅率設定手段は、警告する前記車両状況に応じて前記音圧増幅率を設定することを特徴とする請求項１に記載の計器用警報装置。
【請求項３】
警告する前記車両状況に応じて、前記警報音の波形を設定する波形設定手段を備え、
前記音響器は、前記波形設定手段により設定された波形の前記警報音を、前記増幅率補正手段により補正された前記音圧増幅率にて出力することを特徴とする請求項１又は２に記載の計器用警報装置。
【請求項４】
前記増幅率補正手段は、
前記環境温度に応じて変化する前記音圧増幅率の補正係数を記憶する記憶部と、
前記記憶部に記憶された前記補正係数に基づき、前記温度検出手段により検出された前記環境温度に対応する前記補正係数を抽出して、前記増幅率設定手段により設定された前記音圧増幅率に乗算する演算部と、
を有することを特徴とする請求項１〜３のいずれか一項に記載の計器用警報装置。
【請求項５】
前記計器内部の温度を検出する温度センサ並びに当該温度センサの検出温度に応じて前記車両状態値の表示状態を調整する調整回路を有する前記計器に設けられ、
前記温度検出手段は、前記温度センサの検出温度を前記環境温度として取得することを特徴とする請求項１〜４のいずれか一項に記載の計器用警報装置。
【発明の詳細な説明】
【技術分野】
【０００１】
本発明は、計器用警報装置に関する。
【背景技術】
【０００２】
従来、車両状態値を表示する計器に設けられ、警報音により車両状況を警告する計器用警報装置が知られている。例えば特許文献１に開示の計器用警報装置では、警報する車両状況に応じた音圧の警報音を、音響器としてのスピーカから出力するようにしている。
【０００３】
さて、計器用警報装置では、車両の乗員へ確実に警報音を伝えることで警報性を高めるため、十分な音圧の警報音が必要となる。またその一方で、車両の高級感を乗員へ与えるため等の理由により音質を確保する上では、警報音の波形が音響器の能力を超えて歪むことがないレベルに音圧を抑えておくことが求められている。しかし、一般に音響器は、温度特性の比較的大きな部材で構成されることから、音圧が抑えられた状況下であっても、環境温度によっては警報音の波形に歪みが発生するおそれがある。
【０００４】
こうした音波の歪みに対処する方法として特許文献２には、設定温度以上において音波に歪みが生じた場合に、音波の音圧を低下させることが開示されている。かかる特許文献２に開示の方法によれば、音波に歪みがない場合にはそのまま音圧を確保し、音波に歪みが生じた場合に限り、音圧の低下によって音波の歪みを小さくしていくことが可能となる。
【特許文献１】特開２００７−１１２３４７号公報
【特許文献２】特開２００６−３０４０５３号公報
【発明の開示】
【発明が解決しようとする課題】
【０００５】
ここで、特許文献２に開示の方法を特許文献１に開示の計器用警装置に適用した場合、警報音の波形の歪みをトリガーにして、当該歪みに対処することとなる。故に、少なくとも一旦は警報音の波形に歪みが発生することになるので、音質の劣化を避けることが困難となるのである。
【０００６】
本発明は、このような問題に鑑みてなされたものであって、その目的は、警報音の音質劣化を招くことなく、警報音による警報性を高める計器用警報装置を提供することにある。
【課題を解決するための手段】
【０００７】
請求項１に記載の発明は、車両状態値を表示する計器に設けられ、警報音により車両状況を警告する計器用警報装置であって、環境温度を検出する温度検出手段と、警報音の音圧増幅率を設定する増幅率設定手段と、温度検出手段により検出された環境温度に応じて、増幅率設定手段により設定された警報音の音圧増幅率を補正する増幅率補正手段と、増幅率補正手段により補正された音圧増幅率にて警報音を出力する音響器と、を備えることを特徴とする。
【０００８】
このような請求項１に記載の発明では、増幅率設定手段により設定された音圧増幅率を増幅率補正手段により補正して、警報音を当該補正増幅率にて音響器から出力する。ここで、音圧増幅率の補正については、温度検出手段により検出された環境温度に応じて行われるものであるので、環境温度に依存する音響器の特性から警報音の波形の歪みを生じさせないように行うことができる。したがって、波形歪みによる音質劣化を招かない音圧を確保した警報音の出力により、警報性が高められ得るのである。
【０００９】
請求項２に記載の発明によると、増幅率設定手段は、警告する車両状況に応じて警報音の音圧増幅率を設定する。これによれば、警告する車両状況に応じて増幅率設定手段により設定された音圧増幅率が増幅率補正手段により補正されて、警報音の出力に利用されることになる。したがって、異なる車両状況を警告する警報音について、波形歪みによる音質劣化を招かない音圧を車両状況に応じたレベルに確保して、いずれの警報性をも高めることができるのである。
【００１０】
請求項３に記載の発明は、警告する車両状況に応じて、警報音の波形を設定する波形設定手段を備え、音響器は、波形設定手段により設定された波形の警報音を、増幅率補正手段により補正された音圧増幅率にて出力する。これによれば、警告する車両状況に応じて増幅率設定手段により設定された波形の警報音が、増幅率補正手段により補正された音圧増幅率にて出力されることになる。したがって、異なる車両状況を警告する警報音について、波形を自由に設定しつつ、音質劣化なく警報性を高めることができるのである。
【００１１】
請求項４に記載の発明によると、増幅率補正手段は、環境温度に応じて変化する音圧増幅率の補正係数を記憶する記憶部と、記憶部に記憶された補正係数に基づき、温度検出手段により検出された環境温度に対応する補正係数を抽出して、増幅率設定手段により設定された警報音の音圧増幅率に乗算する演算部と、を有する。これによれば、演算部は、温度検出手段により検出された環境温度に対応する音圧増幅率の補正係数を、増幅率設定手段により設定された音圧増幅率に乗算することで、当該音圧増幅率を正確に補正し得る。ここで、音圧増幅率の補正係数には、環境温度に応じて変化する変量として記憶部に記憶されたものが乗算に利用されることになるので、当該環境温度が依存する音響器の特性を出力する警報音の音圧に適確に反映させることができるのである。
【００１２】
請求項５に記載の発明は、計器内部の温度を検出する温度センサ並びに当該温度センサの検出温度に応じて車両状態値の表示状態を調整する調整回路を有する計器に設けられ、温度検出手段は、温度センサの検出温度を環境温度として取得する。これによれば、計器において車両状態値の表示状態を調整回路により調整するために温度センサが検出する内部温度は、環境温度として音圧増幅率の補正にも利用されることになる。したがって、警報音の音質劣化を招くことなく、警報音による警報性を高めるのに必要なコストを、抑えることができるのである。
【発明を実施するための最良の形態】
【００１３】
以下、本発明の一実施形態を図面に基づいて説明する。
【００１４】
（基本構成）
図１は、本発明の一実施形態による車載計器２の構成を示している。計器２は、表示ユニット３、並びにそれらユニット３，１に共通の計器制御ユニット４を備え、車両の運転席周辺のインストルメントパネルに設置されている。
【００１５】
表示ユニット３は、画像表示モニタ３０、表示駆動回路３１及び温度センサ３２を有している。画像表示モニタ３０は、画像を表示する画面３３を運転席に向けて配置されている。ここで、本実施形態の画像表示モニタ３０は、複数の画素をマトリクス状に配した画面３３を有するＴＦＴ液晶モニタであり、それらの各画素が駆動されることによってフルカラーの画像を画面３３に表示する。
【００１６】
表示駆動回路３１は例えば液晶用ドライバＩＣであり、画像表示モニタ３０を構成するガラス基板上に実装されて当該モニタ３０及び計器制御ユニット４と電気接続されている。表示駆動回路３１は、計器制御ユニット４から入力される表示指令に従って画像表示モニタ３０の各画素を駆動することにより、運転に必要な車両状態値を指示する指示画像並びに注意喚起の必要な車両状況を警告する警告画像を画面３３に表示させる。
【００１７】
ここで、本実施形態において指示画像としては、車両状態値として自動変速機のレンジを指示する画像と、車両状態値として車速を指示する画像と、車両状態値としてエンジン回転数を指示する画像とが、表示されるようになっている。また、警告画像としては、走行方向が後進方向である車両状況を警告する画像と、車速が規定速度以上の高速走行状態にある車両状況を警告する画像と、ライトが消し忘れ状態にある車両状況を警告する画像とが、表示されるようになっている。
【００１８】
温度センサ３２は例えばサーミスタ等であり、表示ユニット３の内部となる画像表示モニタ３０のガラス基板上に実装されて当該内部温度を検出する。温度センサ３２は表示駆動回路３１と電気接続されており、検出温度を当該回路３１へ出力する。この検出温度の入力により表示駆動回路３１は、温度センサ３２の検出温度に応じて画像表示モニタ３０への印加電圧を変化させることで、画面３３における画像の表示状態（例えばコントラスト等）を略一定に調整する。温度センサ３２は、さらに計器制御ユニット４と電気接続されており、検出温度を当該装置４へも出力するようになっている。
【００１９】
警報ユニット１は、音源回路１０、増幅回路１１及び音響器１２を有している。音源回路１０は例えばモノラル型又はステレオ型の音源ＩＣ等であり、表示ユニット３の内部に収容されて計器制御ユニット４と電気接続されている。音源回路１０は、注意喚起の必要な車両状況を警告する警報音を音響器１２から出力するために、計器制御ユニット４から入力される発音指令に従って音響信号を生成する。
【００２０】
ここで、本実施形態の警報音としては、上述した警告画像と対応して、走行方向が後進方向である車両状況を警告する後進走行警報音と、車速が規定速度以上の高速走行状態にある車両状況を警告する高速走行警報音と、ライトが消し忘れ状態にある車両状況を警告するライト消灯警報音とが、出力されるようになっている。そこで、計器制御ユニット４からの発音指令に従い音源回路１０は、警告すべき車両状況に対応する警報音の種類に応じた波形及び周波数を有し且つ当該種類に依拠しない振幅を有する音響信号を、生成する。尚、本実施形態では、後進走行警報音用及びライト消灯警報音用の音響信号として、低周波の正弦信号又は余弦信号が生成され、また緊急度の高い高速走行警報音用の音響信号として、高周波の方形信号が生成される。
【００２１】
増幅回路１１は例えばリニアアンプ型の増幅ＩＣ等であり、表示ユニット３の内部に収容されて音源回路１０及び計器制御ユニット４と電気接続されている。増幅回路１１は、音源回路１０から入力される音響信号の振幅を、計器制御ユニット４から入力される増幅指令に従い増幅する。
【００２２】
ここで、音響信号の振幅を増幅することは、当該信号によって出力される警報音の音圧を増幅することと、実質的に等価である。また、上述したように複数種類の警報音を用意した本実施形態では、警報音の音圧増幅率が当該種類に応じて予め規定されている。さらに、本発明者の鋭意研究から得られた知見によれば、環境温度が低下した場合に警報音の音圧が高いと、音響器１２からの出力特性として警報音の波形が歪み易くなる。これらのことから増幅回路１１は、警告する車両状況の対応警報音の種類と環境温度とに応じた音圧で警報音を出力するために、計器制御ユニット４からの増幅指令に従う増幅処理を音響信号に対して実施する。尚、本実施形態において音響信号の増幅は、後進走行警報音、高速走行警報音、ライト消灯警報音用の順で音圧が増大するように、実施される。
【００２３】
音響器１２はスピーカであり、音波の出力部１３を運転席に向けて配置されて増幅回路１１と電気接続されている。音響器１２は、増幅回路１１から入力される増幅後の音響信号を、当該信号に対応した警報音に変換して出力する。
【００２４】
計器制御ユニット４は、マイクロコンピュータ４０及びインターフェイス回路４１を主体に構成され、表示ユニット３の内部に収容されて車両のセンサ５〜８、表示ユニット３の表示駆動回路３１及び警報ユニット１の回路１０，１１と電気接続されている。ここで、レンジセンサ５は自動変速機のレンジを検出し、車速センサ６は車速を検出する。また、本実施形態ではエンジン制御ユニットにより代用される回転数センサ７は、エンジン回転数を検出し、ライトセンサ８はライトの点消灯状態を検出する。したがって、計器制御ユニット４は、各センサ５〜８から入力される検出信号の波形をインターフェイス回路４１により整形し、整形された検出信号が表す各センサ５〜８の検出結果に基づいて回路３１，１０，１１をマイクロコンピュータ４０によって制御する。
【００２５】
即ち、計器制御ユニット４は、レンジセンサ５の検出レンジを指示する指示画像と、車速センサ６の検出速度を指示する指示画像と、回転数センサ７の検出回転数を指示する指示画像とを常時表示するように、表示駆動回路３１へ出力の表示指令を生成する。
【００２６】
警告すべき車両状況が発生した場合に計器制御ユニット４は、対応する警告画像を表示し且つ対応する警報音を出力するように、表示駆動回路３１へ出力の表示指令、音源回路１０へ出力の発音指令並びに増幅回路１１へ出力の増幅指令を生成する。具体的には、レンジセンサ５の検出レンジが後進（Ｒ）レンジである場合に計器制御ユニット４は、走行方向が後進方向である車両状況を警告する警告画像を表示し且つ当該状況を警告する後進走行警報音を出力するように、各回路３１，１０，１１への出力指令を生成する。また、車速センサ６の検出速度が規定速度以上である場合に計器制御ユニット４は、車速が規定速度以上の車両状況を警告する警告画像を表示し且つ当該状況を警告する高速走行警報音を出力するように、各回路３１，１０，１１への出力指令を生成する。さらにまた、ライトセンサ８の検出結果に基づきライトの消し忘れが確認された場合に計器制御ユニット４は、ライト消し忘れの車両状況を警告する警告画像を表示し且つ当該状況を警告するライト消灯警報音を出力するように、各回路３１，１０，１１への出力指令を生成する。
【００２７】
（増幅指令の生成処理）
上述した計器制御ユニット４において、各種警報音を出力するための増幅指令の生成処理は、本発明に従う特徴的なものとなっており、以下では、その詳細を説明する。
【００２８】
計器制御ユニット４は、警告すべき車両状況が発生した場合に音響信号の振幅増幅率Ｇを、当該車両状況に応じた警報音の音圧増幅率と一致するように設定する。ここで本実施形態では、警報音の音圧増幅率が警告対象の車両状況毎に予め規定され、図２に示すようなマップ形式にて図１のマイクロコンピュータ４０の記憶部４０ａ（例えばＥＥＰＲＯＭ）に記憶されている。これにより計器制御ユニット４では、記憶部４０ａに記憶されている音圧増幅率のうち警告すべき車両状況に対応する値を図１のマイクロコンピュータ４０の演算部４０ｂ（例えばＣＰＵ）が抽出し、当該抽出値が音響信号の振幅増幅率Ｇとして採用されることになる。
【００２９】
しかしながら、本実施形態では、音響器１２からの警報音の出力特性に上述の如き温度依存性が存在するため、警報音の音圧増幅率と一致する音響信号の振幅増幅率Ｇを環境温度によらずに一定値とすると、当該音響信号によって出力される警報音の波形が歪むおそれがある。したがって、計器制御ユニット４は、一旦設定した音響信号の振幅増幅率Ｇを、環境温度に応じた係数ｋにより補正する。
【００３０】
ここで、音響器１２からの出力特性の温度依存性は、一般に環境温度の変化に対して、警報音の種類に実質的に依拠しない一定傾向を示す。そこで本実施形態では、警報音の音圧増幅率に対する補正係数が環境温度毎に予め規定され、図３に示すようなマップ形式にて図１のマイクロコンピュータ４０の記憶部４０ａに記憶されている。また、コスト抑制のために計器制御ユニット４には、上述の如く表示ユニット３の温度センサ３２が電気接続されることで、当該装置３の内部温度が環境温度として入力されるようになっている。これらのことから計器制御ユニット４では、記憶部４０ａに記憶されている音圧増幅率の補正係数に基づき、温度センサ３２の検出温度に対応する値をマイクロコンピュータ４０の演算部４０ｂが抽出する。このとき、図３の如きマップ形式により環境温度の離散値に対して補正係数が規定されている本実施形態では、温度センサ３２の検出温度を挟む環境温度に対応した補正係数間を補間することにより、当該検出温度に対応した値を抽出する。そして、このようにして抽出された値が、演算部４０ｂにより振幅増幅率Ｇと乗算される補正係数ｋとして採用されることになる。
【００３１】
以上により、補正係数ｋを振幅増幅率Ｇに乗算してなる補正増幅率Ｇ×ｋが増幅指令として、計器制御ユニット４から増幅回路１１へ出力されることで、警告する車両状況に応じた音響信号の振幅が当該率Ｇ×ｋにて増幅される。したがって、振幅増幅された音響信号が増幅回路１１から音響器１２へ出力されることによれば、警告対象の車両状況と環境温度とを適確に反映した音圧増幅率にて、警報音が音響器１２の出力部１３から発せられることになる。
【００３２】
（警報音の音圧増幅率及びその補正係数の規定方法）
上述した増幅指令の生成処理において、音響信号の振幅増幅率Ｇ及びその補正係数ｋを設定するために計器制御ユニット４の記憶部４０ａに記憶される警報音の音圧増幅率及びその補正係数について、規定方法の詳細を以下に説明する。
【００３３】
図４は、音響器１２の出力特性を測定するための測定ユニット１００を示している。この測定ユニット１００は、恒温槽１０１、マイクロフォン１０２、波形観測器１０３、測定用制御ユニット１０４を備えている。恒温槽１０１の内部には、測定用に準備された警報ユニット１が収容される。恒温槽１０１は、その内部に設置された温度調節器１０１ａにより、測定作業者の操作に応じて恒温槽１０１の内部温度を調整可能となっている。マイクロフォン１０２は、恒温槽１０１の内部に収容された警報ユニット１の構成要素１０，１１，１２のうち、当該槽１０１から外部に露出した音響器１２の出力部１３と対向する位置にセットされる。波形観測器１０３はマイクロフォン１０２と電気接続されており、当該マイクロフォン１０２にて集音される音響器１２の出力音の波形を観測する。測定用制御ユニット１０４は、センサ５〜８，３２及び表示駆動回路３１と電気接続されない以外は計器制御ユニット４と実質的に同一構成であり、音源回路１０及び増幅回路１１へ入力する発音指令及び増幅指令を測定作業者の操作に応じて生成可能となっている。
【００３４】
このような測定ユニット１００を用いて警報音の音圧増幅率及びその補正係数を規定するための測定作業者の作業フローについて、図５を参照しつつ、以下に詳細に説明する。この作業フローは、例えば計器２の仕様が決まってから製品としての製造が開始されるまでの間等に、実施される。
【００３５】
作業フローのＳ１００では、本実施形態において警報音として用意された後進走行警報音、高速走行警報音及びライト消灯警報音の中から、一種類の警報音を測定警報音として選択する。次にＳ１０１では、恒温槽１０１の内部温度を、温度調節器１０１ａにより所定の最高温度（例えば５０℃）に設定する。
【００３６】
続くＳ１０２では、測定警報音を出力するための音響信号の波形及び周波数を、発音指令として測定用制御ユニット１０４から音源回路１０へ入力させる。また続くＳ１０３では、測定警報音の音圧増幅率を所定の最小測定率（例えば０．５）に設定する。さらに続くＳ１０４では、Ｓ１０３及び後述のＳ１０６のうち、直前のステップにて設定された測定率と一致する音響信号の振幅増幅率を、増幅指令として測定用制御ユニット１０４から音源回路１０へ入力させる。その結果、音響器１２の出力部１３から測定警報音が発せさられると、Ｓ１０５において、マイクロフォン１０２により集音した測定警報音の波形を波形観測器１０３により観測し、当該波形に歪みが生じているか否かを確認する。
【００３７】
Ｓ１０５により測定警報音の波形歪みが確認されない場合には、Ｓ１０６において、測定警報音の音圧増幅率についての測定率を所定量（例えば０．１）分増大させた後、Ｓ１０４〜Ｓ１０５を繰り返す。一方、繰り返しのＳ１０５により測定警報音の波形歪みが確認された場合には、Ｓ１０７において、直近のＳ１０６よりも一つ以上前のＳ１０６又はＳ１０３による測定率を、測定警報音の波形歪みを招来しない最大の音圧増幅率（以下、単に「最大増幅率」という）として設定する。
【００３８】
Ｓ１０７の後のＳ１０８では、恒温槽１０１の内部温度について、現在の測定温度が所定の最低温度（例えば−４０℃）であるか否かを判定する。その結果、測定温度が最低温度となるまでは、Ｓ１０９において、測定温度の設定値を温度調節器１０１ａにより所定量（例えば１０℃）分低下させた後、Ｓ１０２〜Ｓ１０８を繰り返す。以上により、Ｓ１０１において測定警報音として選択した警報音に関して、最大増幅率が測定温度毎に決定されることになる。
【００３９】
そして、ここまで説明したＳ１０１〜Ｓ１０９は、Ｓ１１０の判定及びＳ１１１における測定警報音の変更により、全種類の警報音について測定温度毎の最大増幅率が決定されるまで、繰り返される。こうして、図６の如く測定温度毎の最大増幅率が全種類の警報音について決定された後のＳ１１２では、それら各警報音について測定温度が常温（例えば２０℃）のときの最大増幅率を、計器制御ユニット４の記憶部４０ａに記憶する音圧増幅率として図２の如く規定する。さらにＳ１１３では、各警報音について図６の如く決定した測定温度毎の最大増幅率に基づき、常温時の最大増幅率に対する測定温度毎の最大増幅率の比を、記憶部４０ａに記憶する補正係数として図３の如く規定するのである。
【００４０】
（警報音出力フロー）
以上説明した内容に基づいて計器制御ユニット４が実施する警報音出力フローについて、図７を参照しつつ、以下に詳細に説明する。この警報音出力フローは、車両のイグニッションスイッチのオン等に応じて電源電圧が計器２へ供給されることにより開始され、当該電源供給が停止することにより終了する。
【００４１】
警報音出力フローのＳ１０では、車両状況を警告するための警告条件が成立したか否かを、判定する。ここで警告条件としては、レンジセンサ５の検出レンジがＲレンジ（即ち、走行方向が後進方向）である第一条件と、車速センサ６の検出速度が規定速度以上である第二条件と、ライトセンサ８の検出結果からライトの消し忘れが確認される第三条件とが、予め規定されている。そこで本実施形態では、警告条件としての第一〜第三条件がいずれも成立しない間はＳ１０を繰り返し、それら第一〜第三条件のうちの一つが成立することによりＳ１１を実行する。
【００４２】
Ｓ１１では、表示ユニット３の内部温度を環境温度として、温度センサ３２から取得する。続くＳ１２では、記憶部４０ａに記憶されている音圧増幅率の補正係数に基づき、Ｓ１１で取得した環境温度に対応する係数ｋを抽出する。また続くＳ１３では、記憶部４０ａに記憶されている音圧増幅率のうち、Ｓ１０で成立判定した警告条件が対象とする車両状況の対応増幅率Ｇを抽出する。さらに続くＳ１４では、Ｓ１２及びＳ１３にて抽出した係数ｋ及び増幅率Ｇの乗算により、補正増幅率Ｇ×ｋを算出する。
【００４３】
この後のＳ１５では、Ｓ１０で成立判定した警告条件が対象とする車両状況に対応の波形及び周波数を、発音指令として音源回路１０へ出力する。さらにＳ１６では、Ｓ１４で算出した補正増幅率Ｇ×ｋを、増幅指令として増幅回路１１へ出力する。その結果、警告すべき車両状況に応じた波形及び周波数の警報音が、当該車両状況のみならず環境温度にも応じた音圧増幅率にて、音響器１２から出力されることになる。
【００４４】
尚、Ｓ１６に続くＳ１７では、Ｓ１０で成立の警告条件が継続して成立しているか否かを判定する。その結果、警告条件としての第一〜第三条件が継続成立している場合には、Ｓ１１へと戻って当該Ｓ１１及び後続のＳ１２〜Ｓ１７を繰り返す一方、それら第一〜第三条件のうちの一つが成立すると、Ｓ１０へと戻って次の警告条件の成立を待つ。
【００４５】
ここまで説明したように本実施形態では、警報音の音圧増幅率に一致する音響信号の振幅増幅率Ｇの補正について、環境温度に依存する音響器１２の特性から警報音の波形の歪みを生じさせないように予め規定された補正係数ｋの乗算により、実現される。しかも、こうして補正される音響信号は、波形と周波数と振幅増幅率Ｇとがいずれも警告対象の車両状況の種類に応じて設定されたものとなっている。したがって、本実施形態によれば、波形及び周波数が計器２の仕様に従って自由設定される複数種類の警報音について、波形歪みによる音質劣化を招かない音圧を車両状況に応じたレベルに確保して、いずれの警報性をも高めることができるのである。
【００４６】
以上、本実施形態では、警報ユニット１、計器制御ユニット４及び温度センサ３２が共同して特許請求の範囲に記載の「計器用警報装置」を構成し、温度センサ３２及び計器制御ユニット４が共同して特許請求の範囲に記載の「温度検出手段」を構成し、警報音の音圧増幅率に一致する音響信号の振幅増幅率並びにその補正係数を設定する計器制御ユニット４が実質的に特許請求の範囲に記載の「増幅率設定手段」及び「増幅率補正手段」に相当する。また、本実施形態では、警報音の波形に一致することになる音響信号の波形を設定する計器制御ユニット４が実質的に特許請求の範囲に記載の「波形設定手段」に相当し、表示駆動回路３１が特許請求の範囲に記載の「調整回路」に相当する。
【００４７】
（他の実施形態）
以上、本発明の一実施形態について説明したが、本発明は説明の実施形態に限定して解釈されるものではなく、その要旨を逸脱しない範囲内において種々の実施形態に適用することができる。
【００４８】
具体的には、警報音の音圧増幅率及びその補正係数については、上述したマップ形式以外にも、例えば環境温度（温度センサ３２の検出温度）を変数として補正増幅率Ｇ×ｋを算出する演算式の形態等にて、計器制御ユニット４の記憶部４０ａに記憶させてもよい。また、音響器１２からの出力特性の温度依存性が環境温度の変化に対して警報音の種類に依拠する傾向を示す場合には、警報音の音圧増幅率の補正係数を警報音の種類毎に個別に規定して、それぞれを計器制御ユニット４の記憶部４０ａに記憶させてもよい。さらにまた、表示ユニット３の温度センサ３２とは別にサーミスタ等の「温度検出手段」を、例えば音響器１２の近傍等に配置して、当該「温度検出手段」により環境温度を検出してもよい。
【００４９】
音響器１２から出力する警報音により警告する車両状況については、注意喚起の必要な車両の各種状況であれば、上述した後進走行状況、高速走行状況及びライトの消し忘れ状況以外にも、例えばドアの開放状況、タイヤ圧の低下状況、バッテリの電圧低下状況等であってもよい。また、後進走行状況を判断するために、自動変速機のレンジを検出するレンジセンサ５に代えて、例えば手動変速機の変速段を検出するセンサや、変速機の種類に拘らず車両の後進走行状況を検出する専用のセンサ等を採用するようにしてもよい。さらにまた、表示ユニット３としては、上述の如く画像表示により車両状態値を指示するもの以外にも、例えば指針表示により車両状態値を指示するものであってもよい。
【図面の簡単な説明】
【００５０】
【図１】本発明の一実施形態による車載計器を示す構成図である。
【図２】本発明の一実施形態による警報音の音圧増幅率について説明するための模式図である。
【図３】本発明の一実施形態による警報音の音圧増幅率の補正係数について説明するための模式図である。
【図４】本発明の一実施形態において用いられる測定ユニットを示す構成図である。
【図５】本発明の一実施形態において警報音の音圧増幅率及びその補正係数を規定するための作業フローを示すフローチャートである。
【図６】図５の作業フローについて説明するための模式図である。
【図７】本発明の一実施形態による警報音出力フローを示すフローチャートである。
【符号の説明】
【００５１】
１  警報ユニット（計器用警報装置）、２  車載計器、３  表示ユニット、４  計器制御ユニット（計器用警報装置・温度検出手段・増幅率設定手段・増幅率補正手段・波形設定手段）、５  レンジセンサ、６  車速センサ、７  回転数センサ、８  ライトセンサ、１０  音源回路、１１  増幅回路、１２  音響器、３０  画像表示モニタ、３１  表示駆動回路（調整回路）、３２  温度センサ（計器用警報装置・温度検出手段）、３３  画面、４０  マイクロコンピュータ、４０ａ  記憶部、４０ｂ  演算部、４１  インターフェイス回路、１００  測定ユニット、１０１  恒温槽、１０１ａ  温度調節器、１０２  マイクロフォン、１０３  波形観測器、１０４  測定用制御ユニット
【図１】
2010083245.tif 000003
【図２】
2010083245.tif 000004
【図３】
2010083245.tif 000005
【図４】
2010083245.tif 000006
【図５】
2010083245.tif 000007
【図６】
2010083245.tif 000008
【図７】
2010083245.tif 000009